(57)【要約】【課題】住宅等の窓ガラスに、内側から何回も貼ったり剥がしたりすることができ、自分が必要なとき、必要とする場所にいつでもどこにでも、簡単に取り付けることができる、窓ガラス取り付け用紫外線遮断省エネシートを提供する。【解決手段】ポリエステルフィルムとポリカーボネートシートの積層体であって、ポリエステルフィルム側表面に紫外線遮断層を有し、ポリカーボネートシート側に（１）軟質発泡合成樹脂製の吸着シ−トまたは（２）両面粘着シ−トまたは（３）軟質合成樹脂製の吸着盤のいずれか一つを有する窓ガラス取り付け用紫外線遮断省エネシート。【選択図】　図１
2004042352.tif 000002
【特許請求の範囲】
【請求項１】
透明熱線反射層を有する積層フィルムとポリカーボネートシートの積層体であって、該ポリカーボネートシート側に取り外し可能な（１）軟質発泡合成樹脂製の吸着シ−トまたは（２）両面粘着シ−トまたは（３）軟質合成樹脂製の吸着盤のいずれか一つを設けた、窓ガラス取り付け用紫外線遮断省エネシート。
【発明の詳細な説明】
【０００１】
【発明の属する技術分野】
本発明は、太陽からの熱線を遮断して室温の上昇を防ぎ、暖房機からの熱を反射して戸外に逃がさず、冷・暖房コストの節減を可能にするとともに、有害な紫外線を遮断する窓ガラス取り付け用紫外線遮断省エネシートに関する。
【０００２】
【従来の技術】
住宅等は、主に窓ガラスを通して太陽光線を受けるとその熱により冷房の効果が損なわれたり、また暖房していてもガラスを通して熱が逃げてゆき暖房の効率が悪くなったりする。また家具などは窓ガラスを通して太陽光線を受けるとその紫外線により変色し、また紫外線は人間に対しても有害である。
【０００３】
そこで住宅の窓ガラスに断熱効果を持たせる工夫をしたり、熱線あるいは紫外線を遮断する効果を持たせたりという工夫がなされるようになった。
【０００４】
然しながら、そのような加工を施された窓ガラスは極めて高価であり、より安価で簡便な方法が求められている。
【０００５】
そのような目的のために従来の窓ガラスに貼り付けて使用する種々の住宅窓ガラス用断熱シートが考案されているが、従来の住宅窓ガラス用断熱シートは窓ガラスにポリエステルフィルムを直接貼り付ける方法なので、剥がしたり貼ったりが簡単にできない欠点がある。
【０００６】
そのような窓ガラスシートとして、特開平１０−２０５２３６号公報には粘着剤層を有する窓ガラス用の断熱シートが記載されている。特開平１１−３４８１６９号公報には両面接着テープもしくは粘着剤を介して窓ガラスに貼着される窓ガラス用の断熱シートが記載されている。特開２０００−５０４７号公報には止め具を有する窓用の断熱シートが記載されている。特開２０００−３３４８７６号公報には熱線反射機能を有する積層体を屋内窓用フィルムとして使用することが記載されている。
【０００７】
【発明が解決しようとする課題】
然しながら、特開平１０−２０５２３６号公報または特開平１１−３４８１６９号公報の窓用シートは一度窓に取り付けた後は、取り外して再度取り付けることはできないかあるいは可能であっても容易ではない。
【０００８】
施工業者ではなく一般ユーザーが施工する場合には、技術的に未熟なため均一に斑無く貼ることは難しく、貼り損なうことも多いと考えられるが、剥がして再度貼り直すことは容易ではない。従って一般ユーザーであっても簡便にかつ確実に施工できる窓用シートが求められる。
【０００９】
また特開２０００−５０４７号公報に記載されている窓用の断熱シ−トは、断熱専用であるため室内・外からの景観も悪く、透明でないため窓ガラスの機能を損なっている。
【００１０】
また特開２０００−３３４８７６号公報には熱線反射機能を有する積層体を屋内窓用フィルムが記載されているが、窓枠固定の窓用フィルムであり、窓枠固定用の特殊な部材を必要とするため高価であり、また取り付け、取り外しは容易でない。
【００１１】
従って、透明でかつ断熱あるいは熱線反射機能を有し同時に紫外線を遮断する窓用フィルムを窓ガラスに簡便に取り付け及び取り外し可能とすることが経済性あるいは施工の容易性という視点から求められている。
【００１２】
本願発明の目的は、このような窓ガラス用断熱シートを提供することである。
【００１３】
【課題を解決するための手段】
上記の課題を解決するために、本発明は以下の構成を取る。
【００１４】
透明熱線反射層を有する積層フィルムとポリカーボネートシートを積層し、ポリカーボネートシート側の１あるいは複数箇所に取り付けおよび取り外し可能な（１）軟質発泡合成樹脂製の吸着シ−トまたは（２）両面粘着シ−トまたは（３）軟質合成樹脂製の吸着盤のいずれか一つを設ける。こうして得られた積層体を住宅窓ガラスに取り付けることで、取り付けまたは取り外しが可能な窓ガラス用取り付けシートとなる。
【００１５】
【発明の実施の形態】
本発明に用いられる透明熱線反射層を有する積層フィルムとしては、ポリエステルフィルム上に熱線反射層が設けられ、当該フィルムの熱線反射層と反対側に粘着層あるいは易接着層を設けた積層フィルムが用いられる。さらに透明熱線反射層の上には保護層を設けることもできる。粘着層あるいは易接着層の外側には通常離型フィルムが貼着されているが、ポリカーボネートシートとの積層時には剥がされ、当該粘着層あるいは易接着層を介してポリカーボネートシートと積層される。
【００１６】
また本発明に用いられるポリカーボネートシートとしては、パンライトシートＰＣー２１５１、パンライトシートＰＣー１１５１が好ましく用いられる。
【００１７】
ポリカーボネートシートの厚みは、０．８ｍｍ〜３．０ｍｍのものが用いられ、とりわけ１．０ｍｍ〜１．２ｍｍのものが好ましく用いられる。
【００１８】
本発明の積層体を窓に取り付ける方法としては、当該積層体のポリカーボネートシート側の１あるいは複数箇所に（１）軟質発泡合成樹脂製の吸着シ−トまたは（２）両面粘着シ−トまたは（３）軟質合成樹脂製の吸着盤のいずれか一つを設けることが挙げられる。
【００１９】
窓に取り付け可能であれば上記の何れでも良いが、取り分け軟質発泡合成樹脂製の吸着シ−トを用いる方法が、吸着力が強いあるいは切ることにより大きさを変えられるなどの点で、好ましく用いられる。
【００２０】
この場合において、軟質発泡合成樹脂製の吸着シートは、軟質ウレタン・軟質アクリル系樹脂などの多孔質発泡体からなり、吸着シートを窓ガラス面に押しつけたとき、発泡体の多孔内の空気が排除されて吸着することができるものである。
【００２１】
吸着シートは、発泡体内に多数の孔１００以上があり、平滑面に押しつけると孔内の空気が排除されて平滑面に吸着できる吸着面を有している。吸着シートの大きさ、取り付け位置、個数、及び吸着する力の強さは当該窓用シートが斑無く貼れ、使用中に剥がれたりすることが無いような大きさ、取り付け位置、個数、及び吸着する力の強さが適宜選択できるが、当該窓用シートの四隅が固定されるように選択されることが好ましい。とりわけ四隅に４個設けることが望ましい。
【００２２】
両面粘着シートは、アクリル系樹脂などの粘着剤からなり、窓ガラス取り付け用紫外線遮断省エネシートの形状に合わせて切り取り、粘着面側を前記省エネシートに固着して、粘着シート側の保護シートを剥がして窓ガラス面に押しつけたとき、粘着剤を介して接着するものである。両面粘着シートの大きさ、取り付け位置、個数、及び吸着する力の強さは当該窓用シートが斑無く貼れ、使用中に剥がれたりすることが無いような大きさ、取り付け位置、個数、及び吸着する力の強さが適宜選択できるが、当該窓用シートの四隅が固定されるように選択されることが好ましい。とりわけ四隅に４個設けることが望ましい。
【００２３】
軟質合成樹脂製の吸着盤は、軟質アクリル系樹脂などからなり、吸着盤を窓ガラスに押しつけたとき、吸着盤内の空気が排除されて吸着するものである。
【００２４】
吸着盤の大きさ、取り付け位置、個数、及び吸着する力の強さは当該窓用シートが斑無く貼れ、使用中に剥がれたりすることが無いような大きさ、取り付け位置、個数、及び吸着する力の強さが適宜選択できるが、当該窓用シートの四隅が固定されるように選択されることが好ましい。とりわけ四隅に４個設けることが望ましい。
【００２５】
本発明の窓ガラス取り付け用紫外線遮断省エネシートは、住宅の窓の取り付けに適しているが、自動車や電車等の車両等の窓にも取り付けることができ、適用範囲は住宅の窓には限定されない。
【００２６】
【発明の効果】
本発明によれば、太陽光線を受ける窓の内側に接圧して取り付けることで、室内の温度差を少なくする省エネ効果、また、有害な紫外線の遮断や家具の変色防止などができる窓ガラス取り付け用紫外線遮断省エネシートを容易に取り付け取り外しできる。
【００２７】
【実施例】
［実施例１］
図１に本発明の実施例が示されている。ポリカーボネートシート（帝人化成（株）製パンライトＰＣー１１５１（厚み１ｍｍ））１２に接着剤を介して、透明熱線反射層を有する積層フィルム（帝人デュポンフィルム（株）ＺＣ０６Ｔ）１１を接着したポリカーボネートシートの四隅に、粘着剤層を介して固着させた４枚の吸着シート１３を設けた。
【００２８】
実施例１で作成したシートを窓ガラスに貼り付けたところフィルムの曲がりなどが無く均一に斑無く貼ることができ、また簡単に剥がせ再度使用することが出来た。
【００２９】
［実施例２］
図２に本発明の実施例が示されている。ポリカーボネートシート（帝人化成（株）製パンライトＰＣー１１５１（厚み１ｍｍ））２２に接着剤を介して、透明熱線反射層を有する積層フィルム（帝人デュポンフィルム（株）ＺＣ０６Ｔ）２１を接着したポリカーボネートシートの四隅に、粘着剤層を介して固着させた４枚の両面粘着シート２３を設けた。
【００３０】
実施例２で作成したシートを窓ガラスに貼り付けたところフィルムの曲がりなどが無く均一に斑無く張ることができ、また簡単に剥がせ再度使用することが出来た。
【００３１】
［実施例３］
図３に本発明の実施例が示されている。ポリカーボネートシート（帝人化成（株）製パンライトＰＣー１１５１（厚み１ｍｍ））３２に接着剤を介して、透明熱線反射層を有する積層フィルム（帝人デュポンフィルム（株）ＺＣ０６Ｔ）３１を接着したポリカーボネートシートの四隅に、取り付け部材を介して取り付けた４個の吸着盤３３を設ける。
【００３２】
実施例３で作成したシートを窓ガラスに貼り付けたところフィルムの曲がりなどが無く均一に斑無く貼ることができ、また簡単に剥がせ再度使用することが出来た。
【図面の簡単な説明】
【図１】実施例１における本発明のシートの断面図。
【図２】実施例１における本発明のシートの平面図。
【図３】実施例１における本発明のシートの裏面図。
【図４】実施例２における本発明のシートの断面図。
【図５】実施例２における本発明のシートの平面図。
【図６】実施例２における本発明のシートの裏面図。
【図７】実施例３における本発明のシートの断面図。
【図８】実施例３における本発明のシートの平面図。
【図９】実施例３における本発明のシートの裏面図。
【符号の説明】
１１　透明熱線反射層を有する積層フィルム
１２　ポリカーボネートシート
１３　吸着シート
２１　透明熱線反射層を有する積層フィルム
２２　ポリカーボネートシート
２３　両面接着テープ
３１　透明熱線反射層を有する積層フィルム
３２　ポリカーボネートシート
３３　両面接着テープ
【図１】
2004042352.tif 000003
【図２】
2004042352.tif 000004
【図３】
2004042352.tif 000005
【図４】
2004042352.tif 000006
【図５】
2004042352.tif 000007
【図６】
2004042352.tif 000008
【図７】
2004042352.tif 000009
【図８】
2004042352.tif 000010
【図９】
2004042352.tif 000011